【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
色値と参照番号との対応関係を記述するカラールックアップテーブルと、１画素につき１つの参照番号が割り当てられているソースイメージとを含むインデックスカラーイメージを受信する受信手段と、
前記ソースイメージに割り当てられている参照番号を画素毎に参照し、当該参照された参照番号に対応する色値を取得する取得手段と、
前記カラールックアップテーブルに記述された対応関係に含まれる色値の組み合わせが特定の組み合わせである場合に、画素毎の前記参照を省略して、前記インデックスカラーイメージを、前記カラールックアップテーブルを含まないフォーマットのデータに変換する変換手段と、
を有する画像処理装置。
【請求項２】
前記変換手段は、前記カラールックアップテーブルに記述された対応関係に含まれる色値の組み合わせが、前記インデックスカラーイメージに含まれるソースイメージおよびハーフトーン処理に影響を受けない色値で構成される組み合わせである場合、前記インデックスカラーイメージを、前記カラールックアップテーブルを含まないフォーマットであって、特定の色値を塗りつぶし色として含むフォーマットのデータに変換することを特徴とする請求項１に記載の画像処理装置。
【請求項３】
前記変換手段は、前記カラールックアップテーブルに記述された対応関係に含まれる色値の組み合わせが最小色値で構成される場合、前記インデックスカラーイメージを、前記カラールックアップテーブルを含まないフォーマットであって、前記最小色値を塗りつぶし色として含むフォーマットのデータに変換することを特徴とする請求項１または２に記載の画像処理装置。
【請求項４】
前記変換手段は、前記カラールックアップテーブルに記述された対応関係に含まれる色値の組み合わせが最大色値で構成される場合、前記インデックスカラーイメージを、前記カラールックアップテーブルを含まないフォーマットであって、前記最大色値を塗りつぶし色として含むフォーマットのデータに変換することを特徴とする請求項１乃至３の何れか１項に記載の画像処理装置。
【請求項５】
前記変換されたデータに含まれる前記塗りつぶし色の色値を用いて、描画処理を行う描画手段をさらに有することを特徴とする請求項２乃至４の何れか１項に記載の画像処理装置。
【請求項６】
前記変換手段は、前記カラールックアップテーブルに記述された対応関係に含まれる色値の組み合わせが、描画されるイメージを前記インデックスカラーイメージに含まれるソースイメージと等価とするものであるか、あるいは、描画されるイメージを前記インデックスカラーイメージに含まれるソースイメージを反転したイメージと等価とするものである場合、前記インデックスカラーイメージを、前記カラールックアップテーブルを含まないフォーマットであって、前記ソースイメージおよび前記ソースイメージに対するＲＯＰを含むフォーマットのデータに変換することを特徴とする請求項１乃至５の何れか１項に記載の画像処理装置。
【請求項７】
前記変換手段は、前記カラールックアップテーブルに記述された対応関係に含まれる色値の組み合わせが最小色値と最大色値とで構成される場合、前記インデックスカラーイメージを、前記カラールックアップテーブルを含まないフォーマットであって、前記ソースイメージおよび前記ソースイメージに対するＲＯＰを含むフォーマットのデータに変換することを特徴とする請求項６に記載の画像処理装置。
【請求項８】
前記変換手段は、前記カラールックアップテーブルに記述された対応関係に含まれる色値の組み合わせにおいて前記ソースイメージのオフピクセルに対応する色値が最小色値であって前記ソースイメージのオンピクセルに対応する色値が最大色値である場合、前記インデックスカラーイメージを、前記カラールックアップテーブルを含まないフォーマットであって、前記ソースイメージおよび前記ソースイメージを上書きするＲＯＰを含むフォーマットのデータに変換することを特徴とする請求項７に記載の画像処理装置。
【請求項９】
前記変換手段は、前記カラールックアップテーブルに記述された対応関係に含まれる色値の組み合わせにおいて前記ソースイメージのオフピクセルに対応する色値が最大色値であって前記ソースイメージのオンピクセルに対応する色値が最小色値である場合、前記インデックスカラーイメージを、前記カラールックアップテーブルを含まないフォーマットであって、前記ソースイメージおよび前記ソースイメージを反転して上書きするＲＯＰを含むフォーマットのデータに変換することを特徴とする請求項７または８に記載の画像処理装置。
【請求項１０】
前記変換されたデータに含まれるソースイメージに対して前記変換されたデータに含まれるＲＯＰの処理を行うことで描画処理を行う描画手段をさらに有することを特徴とする請求項７乃至９の何れか１項に記載の画像処理装置。
【請求項１１】
前記変換手段は、前記カラールックアップテーブルに記述された対応関係に含まれる色値の組み合わせに中間色の色値を含む場合、前記インデックスカラーイメージを、前記カラールックアップテーブルを含まないフォーマットであって、ディザマトリクスを用いて前記中間色の色値をハーフトーン処理することで得られるハーフトーンパターンと、前記インデックスカラーイメージに含まれるソースイメージとを含むフォーマットのデータに変換することを特徴とする請求項１乃至１０の何れか１項に記載の画像処理装置。
【請求項１２】
前記変換されたデータに含まれる前記ソースイメージに対して前記変換されたデータに含まれる前記ハーフトーンパターンを処理することで、描画処理を行う描画手段をさらに有することを特徴とする請求項１乃至１１の何れか１項に記載の画像処理装置。
【請求項１３】
前記インデックスカラーイメージに含まれるソースイメージは、１ピクセルあたり１ビットであり、
前記カラールックアップテーブルは２つの色値と２つの参照番号との対応関係を記述することを特徴とする請求項１乃至１２の何れか１項に記載の画像処理装置。
【請求項１４】
前記描画手段は、複数の前記描画対象のピクセルを１回の処理で描画することを特徴とする請求項１乃至１３の何れか１項に記載の画像処理装置。
【請求項１５】
前記変換手段によって変換されたデータに基づいて描画されたイメージをシート上に印刷する印刷手段をさらに有する請求項１乃至１４の何れか１項に記載の画像処理装置。
【請求項１６】
色値と参照番号との対応関係を記述するカラールックアップテーブルと、１画素につき１つの参照番号が割り当てられているソースイメージとを含むインデックスカラーイメージを受信する受信工程と、
前記ソースイメージに割り当てられている参照番号を画素毎に参照し、当該参照された参照番号に対応する色値を取得する取得工程と、
前記カラールックアップテーブルに記述された対応関係に含まれる色値の組み合わせが特定の組み合わせである場合に、画素毎の前記参照を省略して、前記インデックスカラーイメージを、前記カラールックアップテーブルを含まないフォーマットのデータに変換する変換工程と、
を有する画像処理方法。
【請求項１７】
前記変換工程は、前記カラールックアップテーブルに記述された対応関係に含まれる色値の組み合わせが、前記インデックスカラーイメージに含まれるソースイメージおよびハーフトーン処理に影響を受けない色値で構成される組み合わせである場合、前記インデックスカラーイメージを、前記カラールックアップテーブルを含まないフォーマットであって、特定の色値を塗りつぶし色として含むフォーマットのデータに変換することを特徴とする請求項１６に記載の画像処理方法。
【請求項１８】
前記変換工程は、前記カラールックアップテーブルに記述された対応関係に含まれる色値の組み合わせが、描画されるイメージを前記インデックスカラーイメージに含まれるソースイメージと等価とするものであるか、あるいは、描画されるイメージを前記インデックスカラーイメージに含まれるソースイメージを反転したイメージと等価とするものである場合、前記インデックスカラーイメージを、前記カラールックアップテーブルを含まないフォーマットであって、前記ソースイメージおよび前記ソースイメージに対するＲＯＰを含むフォーマットのデータに変換することを特徴とする請求項１６または１７に記載の画像処理方法。
【請求項１９】
前記変換工程は、前記カラールックアップテーブルに記述された対応関係に含まれる色値の組み合わせに中間色の色値を含むフォーマットの場合、前記インデックスカラーイメージを、前記カラールックアップテーブルを含まないフォーマットであって、ディザマトリクスを用いて前記中間色の色値をハーフトーン処理することで得られるハーフトーンパターンと、前記インデックスカラーイメージに含まれるソースイメージとを含むフォーマットのデータに変換することを特徴とする請求項１６乃至１８の何れか１項に記載の画像処理方法。
【請求項２０】
請求項１乃至１５の何れか１項に記載の各手段としてコンピュータを機能させるためのプログラム。
【手続補正２】
【補正対象書類名】明細書
【補正対象項目名】０００５
【補正方法】変更
【補正の内容】
【０００５】
本発明の画像処理装置は、色値と参照番号との対応関係を記述するカラールックアップテーブルと、１画素につき１つの参照番号が割り当てられているソースイメージとを含むインデックスカラーイメージを受信する受信手段と、前記ソースイメージに割り当てられている参照番号を画素毎に参照し、当該参照された参照番号に対応する色値を取得する取得手段と、前記カラールックアップテーブルに記述された対応関係に含まれる色値の組み合わせが特定の組み合わせである場合に、画素毎の前記参照を省略して、前記インデックスカラーイメージを、前記カラールックアップテーブルを含まないフォーマットのデータに変換する変換手段と、を有することを特徴とする。